(57)【要約】【課題】簡素な構成で被検査体に含まれる粘土鉱物を効果的に検出する。【解決手段】被検査体２に赤外線を照射する照射部２０と、被検査体２から反射される赤外線を少なくとも２以上の異なる波長の赤外線画像として撮像する撮像部３０と、撮像された２以上の異なる波長の赤外線画像から各画像の輝度を算出すると共に、算出した各輝度に基づいて被検査体２に粘土鉱物が含まれるか否かを判定する判定部５０とを備えた。【選択図】図３
2019191004.tif 000002
【特許請求の範囲】
【請求項１】
被検査体に赤外線を照射する照射手段と、
前記被検査体から反射される赤外線を少なくとも２以上の異なる波長の赤外線画像として撮像する撮像手段と、
撮像された前記２以上の異なる波長の赤外線画像から各画像の輝度を算出すると共に、算出した各輝度に基づいて前記被検査体に粘土鉱物が含まれるか否かを判定する判定手段と、を備える
ことを特徴とする検出装置。
【請求項２】
前記撮像手段は、前記赤外線画像として、少なくとも、粘土鉱物の赤外線反射率が所定反射率以下となる低反射率の赤外線画像と、粘土鉱物の赤外線反射率が前記所定反射率よりも高くなる高反射率の赤外線画像とを撮像し、
前記判定手段は、前記低反射率の赤外線画像内における所定領域の輝度と、前記高反射率の赤外線画像内における所定領域の輝度との輝度比を算出すると共に、算出した輝度比に基づいて、前記被検査体の前記所定領域に対応する部分に粘土鉱物が含まれるか否かを判定する
請求項１に記載の検出装置。
【請求項３】
前記撮像手段は、前記低反射率の赤外線画像として、粘土鉱物の赤外線反射率が前記所定反射率以下となる少なくとも２以上の異なる低反射率の赤外線画像を撮像し、
前記判定手段は、前記２以上の異なる低反射率の赤外線画像内における所定領域の各輝度と、前記高反射率の赤外線画像内における所定領域の輝度との輝度比をそれぞれ算出すると共に、算出した少なくとも２以上の各輝度比に基づいて、前記被検査体の前記所定領域に対応する部分に含まれる粘土鉱物の種類を特定する
請求項２に記載の検出装置。
【請求項４】
前記撮像手段は、前記低反射率の赤外線画像として、波長１．４μｍ付近の第１低反射率、波長１．９μｍ付近の第２低反射率及び、波長２．２μｍ付近の第３低反射率帯域の赤外線画像をそれぞれ撮像し、
前記判定手段は、前記第１低反射率、前記第２低反射率及び、前記第３低反射率の赤外線画像内における所定領域の各輝度と、前記高反射率の赤外線画像内における所定領域の輝度との輝度比をそれぞれ算出すると共に、算出した３つの各輝度比が閾値以下の場合に、前記被検査体の前記所定領域に対応する部分に含まれる粘土鉱物をモンモリロナイトと特定する
請求項３に記載の検出装置。
【請求項５】
前記撮像手段が、異なる波長の赤外線を透過可能な複数のバンドパスフィルタと、該バンドパスフィルタを透過した赤外線を検出する赤外線カメラとを含む
請求項１から４の何れか一項に記載の検出装置。
【請求項６】
被検査体に赤外線を照射する照射ステップと、
前記被検査体から反射される赤外線を少なくとも２以上の異なる波長の赤外線画像として撮像する撮像ステップと、
撮像された前記２以上の異なる波長の赤外線画像から各画像の輝度を算出すると共に、算出した各輝度に基づいて前記被検査体に粘土鉱物が含まれるか否かを判定する判定ステップと、を有する
ことを特徴とする検出方法。
【請求項７】
前記撮像ステップでは、前記赤外線画像として、少なくとも、粘土鉱物の赤外線反射率が所定反射率以下となる低反射率の赤外線画像と、粘土鉱物の赤外線反射率が前記所定反射率よりも高くなる高反射率の赤外線画像とを撮像し、
前記判定ステップでは、前記低反射率の赤外線画像内における所定領域の輝度と、前記高反射率の赤外線画像内における所定領域の輝度との輝度比を算出すると共に、算出した輝度比に基づいて、前記被検査体の前記所定領域に対応する部分に粘土鉱物が含まれるか否かを判定する
請求項６に記載の検出方法。
【請求項８】
前記撮像ステップでは、前記低反射率の赤外線画像として、粘土鉱物の赤外線反射率が前記所定反射率以下となる少なくとも２以上の異なる低反射率の赤外線画像を撮像し、
前記判定ステップでは、前記２以上の異なる低反射率の赤外線画像内における所定領域の各輝度と、前記高反射率の赤外線画像内における所定領域の輝度との輝度比をそれぞれ算出すると共に、算出した少なくとも２以上の各輝度比に基づいて、前記被検査体の前記所定領域に対応する部分に含まれる粘土鉱物の種類を特定する
請求項７に記載の検出方法。
【請求項９】
前記撮像ステップでは、前記低反射率の赤外線画像として、波長１．４μｍ付近の第１低反射率、波長１．９μｍ付近の第２低反射率及び、波長２．２μｍ付近の第３低反射率の赤外線画像をそれぞれ撮像し、
前記判定ステップでは、前記第１低反射率、前記第２低反射率及び、前記第３低反射率の赤外線画像内における所定領域の各輝度と、前記高反射率の赤外線画像内における所定領域の輝度との輝度比をそれぞれ算出すると共に、算出した３つの各輝度比が閾値以下の場合に、前記被検査体の前記所定領域に対応する部分に含まれる粘土鉱物をモンモリロナイトと特定する
請求項８に記載の検出方法。
【発明の詳細な説明】
【技術分野】
【０００１】
本開示は、検出装置及び、検出方法に関し、特に、粘土鉱物の検出装置及び、検出方法に関する。
【背景技術】
【０００２】
例えば、山岳トンネル工事等においては、切羽を構成する地山に粘土鉱物が含まれていると、該粘土鉱物が水分を吸収して膨潤することにより、トンネルの坑径を縮小させることになる。
【０００３】
このような粘土鉱物の膨潤が覆工コンクリートの打設前に生じた場合には、当該箇所の再掘削等が必要となり、工期や工費に大きく影響するといった課題がある。また、粘土鉱物の膨潤が覆工コンクリートの打設後に生じた場合には、コンクリートのひび割れ等を引き起こす課題もある。このため、地山に含まれる粘土鉱物を適宜に把握することは、山岳トンネル工事において極めて重要となる。
【０００４】
例えば、特許文献１には、対象地盤から採取した試料にＸ線を照射して蛍光Ｘ線を捉え、複数元素の含有の有無や量を分析する技術が開示されている。
【先行技術文献】
【特許文献】
【０００５】
【特許文献１】特開２０１７−１９７９５５号公報
【発明の概要】
【発明が解決しようとする課題】
【０００６】
ところで、上記特許文献１記載の技術を用いて切羽全体の状態を把握するには、切羽から多量の試料を採取して分析する必要がある。このため、試料の採取作業、さらには分析作業に多くの労力や時間が掛かるといった課題がある。また、試料の採取や分析に時間を要すことにより、工期を長引かせるといった課題もある。さらに、試料を採取するには、崩壊の危険性がある切羽に近づく必要があり、安全性を十分に担保できないといった課題もある。
【０００７】
本開示の技術は、簡素な構成で被検査体に含まれる粘土鉱物を効果的に検出することを目的とする。
【課題を解決するための手段】
【０００８】
本開示の検出装置は、被検査体に赤外線を照射する照射手段と、前記被検査体から反射される赤外線を少なくとも２以上の異なる波長の赤外線画像として撮像する撮像手段と、撮像された前記２以上の異なる波長の赤外線画像から各画像の輝度を算出すると共に、算出した各輝度に基づいて前記被検査体に粘土鉱物が含まれるか否かを判定する判定手段と、を備えることを特徴とする。
【０００９】
また、前記撮像手段は、前記赤外線画像として、少なくとも、粘土鉱物の赤外線反射率が所定反射率以下となる低反射率の赤外線画像と、粘土鉱物の赤外線反射率が前記所定反射率よりも高くなる高反射率の赤外線画像とを撮像し、前記判定手段は、前記低反射率の赤外線画像内における所定領域の輝度と、前記高反射率の赤外線画像内における所定領域の輝度との輝度比を算出すると共に、算出した輝度比に基づいて、前記被検査体の前記所定領域に対応する部分に粘土鉱物が含まれるか否かを判定することが好ましい。
【００１０】
また、前記撮像手段は、前記低反射率の赤外線画像として、粘土鉱物の赤外線反射率が前記所定反射率以下となる少なくとも２以上の異なる低反射率の赤外線画像を撮像し、前記判定手段は、前記２以上の異なる低反射率の赤外線画像内における所定領域の各輝度と、前記高反射率の赤外線画像内における所定領域の輝度との輝度比をそれぞれ算出すると共に、算出した少なくとも２以上の各輝度比に基づいて、前記被検査体の前記所定領域に対応する部分に含まれる粘土鉱物の種類を特定することが好ましい。
【００１１】
また、前記撮像手段は、前記低反射率の赤外線画像として、波長１．４μｍ付近の第１低反射率、波長１．９μｍ付近の第２低反射率及び、波長２．２μｍ付近の第３低反射率の赤外線画像をそれぞれ撮像し、前記判定手段は、前記第１低反射率、前記第２低反射率及び、前記第３低反射率の赤外線画像内における所定領域の各輝度と、前記高反射率の赤外線画像内における所定領域の輝度との輝度比をそれぞれ算出すると共に、算出した３つの各輝度比が閾値以下の場合に、前記被検査体の前記所定領域に対応する部分に含まれる粘土鉱物をモンモリロナイトと特定することが好ましい。
【００１２】
また、前記撮像手段が、異なる波長の赤外線を透過可能な複数のバンドパスフィルタと、該バンドパスフィルタを透過した赤外線を検出する赤外線カメラとを含むことが好ましい。
【００１３】
本開示の検出方法は、被検査体に赤外線を照射する照射ステップと、前記被検査体から反射される赤外線を少なくとも２以上の異なる波長の赤外線画像として撮像する撮像ステップと、撮像された前記２以上の異なる波長の赤外線画像から各画像の輝度を算出すると共に、算出した各輝度に基づいて前記被検査体に粘土鉱物が含まれるか否かを判定する判定ステップと、を有することを特徴とする。
【００１４】
また、前記撮像ステップでは、前記赤外線画像として、少なくとも、粘土鉱物の赤外線反射率が所定反射率以下となる低反射率の赤外線画像と、粘土鉱物の赤外線反射率が前記所定反射率よりも高くなる高反射率の赤外線画像とを撮像し、前記判定ステップでは、前記低反射率の赤外線画像内における所定領域の輝度と、前記高反射率の赤外線画像内における所定領域の輝度との輝度比を算出すると共に、算出した輝度比に基づいて、前記被検査体の前記所定領域に対応する部分に粘土鉱物が含まれるか否かを判定することが好ましい。
【００１５】
また、前記撮像ステップでは、前記低反射率の赤外線画像として、粘土鉱物の赤外線反射率が前記所定反射率以下となる少なくとも２以上の異なる低反射率の赤外線画像を撮像し、前記判定ステップでは、前記２以上の異なる低反射率の赤外線画像内における所定領域の各輝度と、前記高反射率の赤外線画像内における所定領域の輝度との輝度比をそれぞれ算出すると共に、算出した少なくとも２以上の各輝度比に基づいて、前記被検査体の前記所定領域に対応する部分に含まれる粘土鉱物の種類を特定することが好ましい。
【００１６】
また、前記撮像ステップでは、前記低反射率の赤外線画像として、波長１．４μｍ付近の第１低反射率、波長１．９μｍ付近の第２低反射率及び、波長２．２μｍ付近の第３低反射率の赤外線画像をそれぞれ撮像し、前記判定ステップでは、前記第１低反射率、前記第２低反射率及び、前記第３低反射率の赤外線画像内における所定領域の各輝度と、前記高反射率の赤外線画像内における所定領域の輝度との輝度比をそれぞれ算出すると共に、算出した３つの各輝度比が閾値以下の場合に、前記被検査体の前記所定領域に対応する部分に含まれる粘土鉱物をモンモリロナイトと特定することが好ましい。
【発明の効果】
【００１７】
本開示の技術によれば、簡素な構成で被検査体に含まれる粘土鉱物を効果的に検出することができる。
【図面の簡単な説明】
【００１８】
【図１】本実施形態に係る検出装置を山岳トンネル工法に適用した一例を示す模式図である。
【図２】粘土鉱物の一例として、モンモリロナイト、カオリナイト及び、イライトの反射率特性を示すグラフである。
【図３】本実施形態に係る検出装置を示す機能ブロック図である。
【図４】本実施形態における各輝度画像の具体例を示す模式図である。
【図５】本実施形態における各輝度画像に基づいて生成した輝度比画像の一例を示す模式図である。
【図６】本実施形態に係る検出装置による粘土鉱物の検出処理の流れを説明するフローチャートである。
【図７】他の実施形態に係る粘土鉱物の検出処理の流れを説明するフローチャートである。
【発明を実施するための形態】
【００１９】
以下、添付図面に基づいて、本実施形態に係る検出装置及び、検出方法について説明する。同一の部品には同一の符号を付してあり、それらの名称および機能も同じである。したがって、それらについての詳細な説明は繰返さない。
【００２０】
図１は、本実施形態に係る検出装置１０を山岳トンネル工法に適用した一例を示す模式図である。同図において、符号Ｇは地山、符号１は掘削により形成されたトンネル、符号２は切羽、符号３は支保工、符号４は覆工コンクリートをそれぞれ模式的に示している。
【００２１】
図１に示すように、検出装置１０は、例えば、切羽２を構成する地山Ｇに含まれる粘土鉱物の検出に用いられる。具体的には、検出装置１０は、照射部２０と、撮像部３０と、データ処理部５０と、入力部６０と、表示部７０とを備えている。
【００２２】
照射部２０は、切羽２に赤外線（以下、本実施形態において、「赤外線」と称した場合には「近赤外線」を含むものとする）を照射可能な照明装置であって、例えばハロゲンランプを用いて構成されている。照射部２０は、好ましくは、三脚等を用いてトンネル１内に設置される。なお、照射部２０は、ハロゲンランプ以外のランプ光源、発光ダイオードやレーザダイオード等であってもよい。
【００２３】
撮像部３０は、フィルタ部３１及び、赤外線カメラ４０を有する。フィルタ部３１は、切羽２と赤外線カメラ４０との間に配置されており、選択的に切り替え可能な複数（本実施形態では、例えば４個）の第１〜第４フィルタ３２〜３５を備えている。これら各フィルタ３２〜３５には、それぞれ異なる特定の波長帯域の赤外線を透過させるバンドパスフィルタ（光学フィルタ）が選定されている。以下、各フィルタ３２〜３５の波長帯域の詳細な選定について説明する。
【００２４】
図２は、粘土鉱物の一例として、モンモリロナイト、カオリナイト及び、イライトの反射率特性を示すグラフである（出典：Castaldi, F., Palombo, A., Pascucci, S., Pignatti, S., Santini, F., Casa, R. (2015) Reducing the influence of soil moisture on the estimation of clay from hyperspectral data: a case study using simulated PRISMA data. Remote Sensing, vol. 7, pp. 15561-15582, Fig. 5.）。一般的に、粘土鉱物の赤外線反射率特性には、所定の波長帯域にて赤外線の反射率が急減（吸収率が急増）する複数のボトムが存在する。
【００２５】
より詳しくは、モンモリロナイトには、赤外線の反射率が約６０％（所定反射率の一例）以下に急減する波長帯域として、波長１．４μｍ付近の低反射率帯域Ａ１、波長１．９μｍ付近の低反射率帯域Ａ２及び、波長２．２μｍ付近の低反射率帯域Ａ３の約３つのボトムが存在する。カオリナイトには、赤外線の反射率が約５０％以下に急減する波長１．４μｍ付近の低反射率帯域Ａ１及び、赤外線の反射率が約３０％以下に急減する波長２．２μｍ付近の低反射率帯域Ａ３の約２つのボトムが存在する。これら反射率の急減は、粘土鉱物が含有する水酸基（ＯＨ）や水分子の振動に電磁波が吸収されることを起因として生じる。
【００２６】
本実施形態では、第１フィルタ３２として、モンモリロナイトやカオリナイトを含む粘土鉱物全般にて赤外線反射率が急減する波長１．４μｍ付近の低反射率帯域Ａ１の赤外線を透過可能なバンドパスフィルタが選定されている。また、第２フィルタ３３として、少なくともモンモリロナイトにて赤外線反射率が急減する波長１．９μｍ付近の低反射率帯域Ａ２の赤外線を透過可能なバンドパスフィルタが選定されている。また、第３フィルタ３４として、少なくともモンモリロナイト及びカオリナイトにて赤外線反射率が急減する波長２．２μｍ付近の低反射率帯域Ａ３の赤外線を透過可能なバンドパスフィルタが選定されている。さらに、第４フィルタ３５として、これら低反射率帯域Ａ１，Ａ２，Ａ３とは異なる複数の高反射率帯域Ｂ１，Ｂ２，Ｂ３（例えば、モンモリロナイトにて赤外線反射率が約７０％よりも高くなる帯域）のうち、何れかの波長の赤外線を透過可能なバンドパスフィルタが選定されている。
【００２７】
なお、各フィルタ３２〜３５の個数や波長帯域の選定は、これらに限定されるものではなく、検出対象となる粘土鉱物の種類や検出目的等に応じて適宜に設定することができる。また、高反射率帯域Ｂ１，Ｂ２，Ｂ３用のフィルタは、第４フィルタ３５の１個に限定されず、必要に応じて各高反射率帯域Ｂ１，Ｂ２，Ｂ３毎にフィルタ数を追加して構成してもよい。
【００２８】
図１に戻り、赤外線カメラ４０は、切羽２から反射されてフィルタ部３１を透過した赤外線を検出すると共に、撮像した赤外線画像データをデータ処理部５０に入力する。赤外線カメラ４０は、好ましくは、三脚等を用いてトンネル１内に設置される。赤外線カメラ４０の切羽２から設置距離は、切羽２から反射される赤外線を撮像可能な範囲内にて、好ましくは、一度の撮像により取得される画像内に切羽２の全体像が含まれるか、或は、切羽２の全体像に加えて、支保工３（又は、不図示のアンカーボルトのボルトヘッド等）の一部が含まれるように適宜に調整される。
【００２９】
なお、フィルタ部３１は、撮像部３０の一部に組み込まれるものとしたが、照射部２０に組み込んでもよい。照射部２０に組み込む場合は、フィルタ部３１を照射部２０の光源と切羽２との間に配置すればよい。或は、照射部２０を波長可変光源とすれば、フィルタ部３１そのものを省略することもできる。
【００３０】
データ処理部５０は、パーソナルコンピュータやサーバ等の情報処理装置を用いて構成される。なお、データ処理部５０は、タブレットやスマートフォン等の情報処理装置を用いて構成されてもよい。データ処理部５０は、撮像部３０により撮像された赤外線の画像データを取得する。また、データ処理部５０は、取得した画像データに基づいて、切羽２を構成する地山Ｇに粘土鉱物が含まれるか否かの判定及び、地山Ｇに含まれる粘土鉱物の種類の特定を実施する。
【００３１】
入力部６０は、例えば、データ処理部５０に接続されたキーボードであって、データ処理部５０に種々の情報や指示等を入力する。表示部７０は、例えば、データ処理部５０に接続されたディスプレイであって、検出装置１０による検出結果や入力部６０からデータ処理部５０への入力内容等を表示する。
【００３２】
本実施形態において、照射部２０及び撮像部３０は、太陽光等の外乱の影響を受け難いトンネル１内（暗部）に設置される。また、データ処理部５０、入力部６０及び、表示部７０は、トンネル１内又はトンネル坑外（遠隔地を含む）の何れに設置してもよい。照射部２０のオン／オフ、フィルタ部３１の切り替え及び、赤外線カメラ４０の作動は、作業者の入力部６０の操作によりデータ処理部５０を介して出力される指令に応じて自動制御されてもよく、或は、作業者がこれら照射部２０，フィルタ部３１，撮像部４０を直接的に手動操作することにより行われてもよい。
【００３３】
図３は、本実施形態に係る検出装置１０を示す機能ブロック図である。検出装置１０は、バスで接続されたＣＰＵ（Central Processing Unit）やメモリ、補助記憶装置等を備え、検出プログラムを実行する。また、検出装置１０は、検出プログラムの実行によって記憶部５１、輝度画像生成部５２及び、粘土鉱物検出部５３を備える装置として機能する。検出プログラムは、コンピュータ読み取り可能な記録媒体に記録されてもよい。コンピュータ読み取り可能な記録媒体とは、例えば、光磁気ディスク、ＵＳＢ、ＣＤ−ＲＯＭ等の可搬媒体、コンピュータシステムに内蔵されるハードディスク等の記憶装置である。また、検出プログラムは、電気通信回線を介して送信されてもよい。
【００３４】
記憶部５１は、磁気ハードディスク装置や半導体記憶装置などの記憶装置を用いて構
成されている。記憶部５１は、赤外線カメラ４０によって取得された赤外線画像データを記憶する。
【００３５】
輝度画像生成部５２は、記憶部５１に記憶された赤外線画像データに基づいて、赤外線反射率に応じた輝度画像（白黒のモノクロ画像）を生成する。輝度画像は、例えば、赤外線画像データを白黒２５６階調のグレースケールに変換後、好ましくは、照射部２０の光源特性や赤外線カメラ４０の感度特性に応じた補正係数で補正することにより生成される。なお、階調数は２５６階調に限定されず、種々の階調数とすることができる。
【００３６】
図４は、本実施形態における輝度画像の具体例を示す模式図である。図４（Ａ）は、第１フィルタ３２を透過した低反射率帯域Ａ１（図２参照）の赤外線の画像データから生成された輝度画像、図４（Ｂ）は、第２フィルタ３３を透過した低反射率帯域Ａ２（図２参照）の赤外線の画像データから生成された輝度画像、図４（Ｃ）は、第３フィルタ３４を透過した低反射率帯域Ａ３（図２参照）の赤外線の画像データから生成された輝度画像、図４（Ｄ）は、第４フィルタ３５を透過した高反射率帯域（図２に示すＢ１，Ｂ２，Ｂ３の何れか）の赤外線の画像データから生成された輝度画像をそれぞれ模式的に示している。これら各輝度画像内の各領域Ｘ，Ｙの濃淡は、色が濃い（輝度が暗い）領域ほど切羽２に照射された赤外線の反射率が低く、色が淡い（輝度が明るい）領域ほど切羽２に照射された赤外線の反射率が高いことを示している。
【００３７】
具体的には、輝度画像内の領域Ｘに対応する切羽２に、粘土鉱物として、例えばモンモリロナイトが含まれていると、該モンモリロナイトに照射された赤外線のうち、低反射率帯域Ａ１，Ａ２，Ａ３の赤外線の反射率は低くなり、高反射率帯域Ｂ１，Ｂ２，Ｂ３の赤外線の反射率は高くなる。このため、図４（Ａ）、（Ｂ）及び、（Ｃ）に示すように、低反射率帯域Ａ１，Ａ２，Ａ３の赤外線画像データから生成される輝度画像ＩＭＧ１，ＩＭＧ２，ＩＭＧ３では、モンモリロナイトを含む領域Ｘの輝度がモンモリロナイトを含まない領域Ｙ（主として珪酸塩鉱物等で構成された岩石）の輝度よりも暗くなる。一方、図４（Ｄ）に示すように、高反射率帯域（Ｂ１，Ｂ２，Ｂ３の何れか）の赤外線画像データから生成される輝度画像ＩＭＧ４では、画像全体の輝度が明るくなることで、領域Ｘと領域Ｙとの輝度差は小さく表される。
【００３８】
輝度画像は、このような切羽２に照射された赤外線の反射率に応じた輝度値を各画素の画素値として有する。なお、説明の便宜上、以下では、第１フィルタ３２を透過した赤外線の画像データから生成される輝度画像ＩＭＧ１を「第１低反射率輝度画像ＩＭＧ１」、第２フィルタ３３を透過した赤外線の画像データから生成される輝度画像ＩＭＧ２を「第２低反射率輝度画像ＩＭＧ２」、第３フィルタ３４を透過した赤外線の画像データから生成される輝度画像ＩＭＧ３を「第３低反射率輝度画像ＩＭＧ３」、第４フィルタ３５を透過した赤外線の画像データから生成される輝度画像ＩＭＧ４を「基準輝度画像ＩＭＧ４」と称する。
【００３９】
粘土鉱物検出部５３は、輝度画像生成部５２により生成された輝度画像に基づいて、切羽２に粘土鉱物が含まれるか否かを検出する。具体的には、粘土鉱物検出部５３は、第１低反射率輝度画像ＩＭＧ１内のｘ点の輝度α１と、対応する基準輝度画像ＩＭＧ４内のｘ点の輝度βとの輝度比γ１（＝α１／β）を算出し、輝度比γ１が所定の閾値以下であれば、切羽２の当該部分に粘土鉱物（少なくともモンモリロナイト又はカオリナイトを含む粘土鉱物全般）が含まれると判定する。このように、赤外線反射率が低い低反射率輝度画像ＩＭＧ１の輝度α１と、赤外線反射率が高い基準輝度画像ＩＭＧ４の輝度βとの輝度比γ１を用いることで、切羽２の各地点と照射部２０（光源）との距離差の影響が低減されるようになり、これらの距離差に応じた補正を行うことなく、粘土鉱物の有無を容易に検出することが可能になる。
【００４０】
なお、輝度比γ１の算出は、１画素毎又は複数画素の平均値からなる所定領域毎の何れであってもよい。各輝度画像ＩＭＧ１，ＩＭＧ４の位置合わせは、例えば、画像内に含まれる支保工３（又は、不図示のアンカーボルトのボルトヘッド等）を基準点に用いればよい。
【００４１】
また、粘土鉱物検出部５３は、輝度比γ１が閾値以下となる領域に基づいて、切羽２における粘土鉱物の分布域を抽出する。図５は、図４（Ａ）及び（Ｄ）に示される各輝度画像ＩＭＧ１，ＩＭＧ４に基づいて生成した輝度比画像ＩＭＧ５の一例を示す模式図である。このように輝度比γ１に基づいて生成された輝度比画像ＩＭＧ５を用いれば、輝度比γ１が閾値以下となる粘土鉱物を多く含む領域Ｘと、輝度比γ１が閾値よりも高くなる粘土鉱物を含まない領域Ｙ（主として岩石）との輝度差が明確に表されるようになり、粘土鉱物の分布域を容易且つ正確に抽出することができる。
【００４２】
なお、判定や抽出に用いる輝度画像は、第１低反射率輝度画像ＩＭＧ１に限定されず、図４（Ｂ）に示す第２低反射率輝度画像ＩＭＧ２又は、図４（Ｃ）に示す第３低反射率輝度画像ＩＭＧ３の何れを用いてもよい。第２低反射率輝度画像ＩＭＧ２を用いる場合は、第２低反射率輝度画像ＩＭＧ２内のｘ点の輝度α２と、対応する基準輝度画像ＩＭＧ４内のｘ点の輝度βとの輝度比γ２（＝α２／β）を算出し、輝度比γ２が閾値以下であれば当該部分に粘土鉱物（少なくともモンモリロナイトを含有する粘土鉱物）が含まれると判定すればよい。同様に、第３低反射率輝度画像ＩＭＧ３を用いる場合は、第３低反射率輝度画像ＩＭＧ３内のｘ点の輝度α３と、対応する基準輝度画像ＩＭＧ４内のｘ点の輝度βとの輝度比γ３（＝α３／β）を算出し、輝度比γ３が閾値以下であれば当該部分に粘土鉱物（少なくともモンモリロナイト又はカオリナイトの何れかを含有する粘土鉱物）が含まれると判定すればよい。判定に用いる各閾値は、検出対象となる粘土鉱物の種類や検出目的等に応じて適宜に設定すればよい。
【００４３】
さらに、粘土鉱物検出部５３は、算出した各輝度比γ１，γ２，γ３に基づいて、切羽２の領域Ｘに含まれる粘土鉱物の種類を特定する。図２に基づいて説明したように、モンモリロナイト及び、カオリナイトでは、波長１．４μｍ付近及び、波長２．２μｍ付近の２つの波長帯域Ａ１，Ａ３にて赤外線反射率が急減する一方、モンモリロナイトにおいては、さらに波長１．９μｍ付近の波長帯域Ａ２でも赤外線反射率が急減する。粘土鉱物判定部５３は、このような粘土鉱物の種類に応じた赤外線反射率の相違を用いることにより粘土鉱物の種類を特定する。
【００４４】
具体的には、（１）第１低反射率輝度画像ＩＭＧ１と基準輝度画像ＩＭＧ４とに基づいて算出される輝度比γ１が閾値以下、且つ（２）第２低反射率輝度画像ＩＭＧ２と基準輝度画像ＩＭＧ４とに基づいて算出される輝度比γ２が閾値以下、且つ（３）第３低反射率輝度画像ＩＭＧ３と基準輝度画像ＩＭＧ４とに基づいて算出される輝度比γ３が閾値以下となる（１）〜（３）の全ての条件が成立すれば、モンモリロナイト特有の低反射率帯域Ａ１，Ａ２，Ａ３にて赤外線反射率が急減していることになる。この場合、粘土鉱物検出部５３は、領域Ｘに含まれる粘土鉱物の種類をモンモリロナイトと特定する。一方、条件（１）及び条件（３）は成立するが、条件（２）が成立しない場合は、モンモリロナイト及びカオリナイトに共通する低反射率帯域Ａ１，Ａ３にて赤外線反射率が急減し、モンモリロナイト特有の低反射率帯域Ａ２では赤外線反射率が急減していないことになる。この場合、粘土鉱物検出部５３は、領域Ｘに含まれる粘土鉱物の種類をカオリナイトと特定する。
【００４５】
なお、粘土鉱物の種類の特定は、これらモンモリロナイトやカオリナイトに限定されず、他の粘土鉱物をさらに特定できるように構成してもよい。この場合は、まず、フィルタ部３１に、他の粘土鉱物において赤外線反射率が急減する波長帯域の赤外線を透過可能なバンドパスフィルタを追加する。そして、追加したバンドパスフィルタに応じた赤外線画像データから輝度画像を生成して基準輝度画像ＩＭＧ４との輝度比を算出し、複数の輝度比を組み合わせて比較することにより、当該粘土鉱物の種類を特定するように構成すればよい。
【００４６】
図６は、本実施形態に係る検出装置１０による粘土鉱物の検出処理の流れを説明するフローチャートである。検出装置１０を用いた粘土鉱物の検出処理は、好ましくは、山岳トンネル工事の工程の一部である切羽観察工程に組み込まれて実施されるものとする。
【００４７】
ステップＳ１１０では、照射部２０から切羽２に向けて赤外線を照射する。
【００４８】
次いで、ステップＳ１２０では、フィルタ部３１の各フィルタ３２〜３５を適宜に切り替えながら、切羽２から反射される赤外線の画像データを赤外線カメラ４０により撮像する。撮像回数は、検出目的に応じて適宜に設定可能である。具体的には、切羽２に粘土鉱物が含まれるか否かの判定のみを行う場合は、少なくとも、第１フィルタ３２及び、第４フィルタ３５を用いた計２回の撮像を連続して行えばよい。また、粘土鉱物の種類の特定も行う場合は、第１〜第４フィルタ３２〜３５を用いた少なくとも計４回の撮像を行えばよい。これら各フィルタ３２〜３５を用いた撮像の順序は順不同である。
【００４９】
ステップＳ１３０では、ステップＳ１２０にて取得された赤外線画像データを記憶部５１に入力し、ステップＳ１４０では、記憶部５１に記憶された赤外線画像データに基づいて、赤外線の反射率に応じた輝度画像を生成する。
【００５０】
ステップＳ１５０では、第１低反射率輝度画像ＩＭＧ１の輝度α１と基準輝度画像ＩＭＧ４の輝度βとの輝度比γ１（＝α１／β）を算出し、次いで、ステップＳ１６０では、輝度比γ１が所定の閾値以下か否かを判定する。輝度比γ１が閾値以下（肯定）であれば、多くの粘土鉱物に共通する波長１．４μｍ付近の低反射率帯域Ａ１で赤外線反射率が急減していることになる。この場合は、ステップＳ１７０にて、切羽２の当該部分に粘土鉱物（少なくともモンモリロナイト又はカオリナイトを含む粘土鉱物全般）が含まれる（有り）と判定する。一方、輝度比γ１が閾値よりも高い場合（否定）は、ステップＳ３００にて切羽２の当該部分に粘土鉱物が含まれない（無し）と判定する。
【００５１】
ステップＳ１８０では、各輝度画像ＩＭＧ１，ＩＭＧ４に基づいて生成した輝度比画像ＩＭＧ５から、輝度比γ１が閾値以下となる領域Ｘを特定し、切羽２全体における粘土鉱物の分布域を抽出する。
【００５２】
次いで、ステップＳ２００では、第３低反射率輝度画像ＩＭＧ３の輝度α３と基準輝度画像ＩＭＧ４の輝度βとの輝度比γ３（＝α３／β）を算出し、ステップＳ２１０では、輝度比γ３が所定の閾値以下か否かを判定する。輝度比γ３が閾値よりも高い場合（否定）は、モンモリロナイト及びカオリナイトに特有の波長２．２μｍ付近の第３低反射率帯域Ａ３で赤外線反射率が急減していないことになる。この場合は、ステップＳ２７０に進み、粘土鉱物をモンモリロナイト及びカオリナイトの何れにも該当しない他の粘土鉱物と特定する。
【００５３】
一方、ステップＳ２１０にて、輝度比γ３が閾値以下であった場合（肯定）は、ステップＳ２２０に進み、第２低反射率輝度画像ＩＭＧ２の輝度α２と基準輝度画像ＩＭＧ４の輝度βとの輝度比γ２（＝α２／β）を算出する。
【００５４】
ステップＳ２３０では、輝度比γ２が所定の閾値以下か否かを判定する。輝度比γ２が閾値よりも高い場合（否定）は、モンモリロナイト及びカオリナイトに共通する波長１．４μｍ付近及び、波長２．２μｍ付近の２つの低反射率帯域Ａ１，Ａ３で赤外線反射率が急減しているが、モンモリロナイトに特有の波長１．９μｍ付近の第２低反射率帯域Ａ２では、赤外線反射率が急減していないことになる。この場合は、ステップＳ２８０に進み、粘土鉱物の種類をカオリナイトと特定する。
【００５５】
一方、ステップＳ２３０にて、輝度比γ２が閾値以下の場合（肯定）は、モンモリロナイトに特有の波長１．４μｍ付近、波長１．９μｍ付近及び、波長２．２μｍ付近の計３つの低反射率帯域Ａ１，Ａ２，Ａ３にて赤外線反射率が急減していることになる。この場合は、ステップＳ２４０に進み、粘土鉱物をモンモリロナイトと特定し、粘土鉱物の検出を終了する。以降、上述の各ステップは、好ましくは、山岳トンネル工事における次の切羽観察工程にて繰り返し実施される。
【００５６】
以上詳述した本実施形態によれば、照射部２０から切羽２に赤外線を照射すると共に、赤外線カメラ４０により少なくとも低反射率帯域及び高反射率帯域の各赤外線画像を撮像し、撮像したこれら低反射率帯域及び高反射率帯域の各赤外線画像の輝度比を比較することにより、切羽２の粘土鉱物の有無、さらには粘土鉱物の種類を把握できるように構成されている。
【００５７】
すなわち、現場での作業は赤外線の照射及び撮像のみとなり、時間や労力を必要とする試料の採取作業を省略することが可能になり、作業時間を大幅に短縮することができる。
【００５８】
また、赤外線の照射及び撮像は、崩壊の危険性がある切羽２に近づく必要がないため、作業の安全性も効果的に確保することができる。
【００５９】
また、赤外線の照射及び撮像は、山岳トンネル工事における切羽観察工程の一部に組み込んで行えるため、トンネル工事全体の工程に遅延を生じさせることも効果的に防止することができる。
【００６０】
また、粘土鉱物の検出及び特定に、低反射率帯域の赤外線画像と高反射率帯域の赤外線画像との輝度比を用いることで、切羽２の各地点と光源との距離差の影響が効果的に低減されるようになる。すなわち、距離差に応じた補正が不要となることで、解析時間を効果的に短縮しつつ、高精度な粘土鉱物の検出及び特定を実現することが可能になる。
【００６１】
また、撮像した赤外線画像から得られる輝度比を比較するのみで、切羽２全体にわたる粘土鉱物の分布域を適宜に把握できるため、解析結果を山岳トンネル工事における地山Ｇの補助工法の選定や支保工３の強度選定に効果的に活用することも可能になる。
【００６２】
なお、本開示は、上述の実施形態に限定されるものではなく、本開示の趣旨を逸脱しない範囲で、適宜変形して実施することが可能である。
【００６３】
上記実施形態では、山岳トンネル工事の現場を例に挙げて説明したが、例えば、屋外のダム施工現場であっても夜間に行う等、太陽光等の外乱の影響を受け難い環境下（暗部）で実施すれば、他の現場にも広く適用することが可能である。
【００６４】
また、検出対象は切羽２に含まれる粘土鉱物に限定されず、赤外線画像の輝度比に基づいて検出可能な他の鉱物、岩石の検出にも広く適用することが可能である。
【００６５】
また、粘土鉱物の種類の特定は、モンモリロナイトやカオリナイトに限定されず、例えば、イライトをさらに特定できるように構成してもよい。イライトは、モンモリロナイトやカオリナイトとは異なり、図２に示す反射率特性において、波長１．４μｍ付近の帯域Ａ１では赤外線反射率の低下が相対的に小さく、波長１．９μｍ付近の帯域Ａ２にて赤外線反射率が最も大きく低下し、次いで、波長２．２μｍ付近の帯域Ａ３にて赤外線反射率が大きく低下する特性がある。
【００６６】
すなわち、図６に示すフローチャートのステップＳ３００以降を、図７に示すフローに変更すれば、イライトをさらに特定することが可能になる。具体的には、図７に示すように、ステップＳ１６０にて、輝度比γ１が閾値よりも高い（反射率がほとんど低下していない）と判定したならば、ステップＳ３００にて輝度比γ２を算出し、さらに、ステップＳ３１０にて輝度比γ３を算出する。なお、これらステップＳ３００，Ｓ３１０の処理は順不同である。次いで、ステップＳ３２０にて、輝度比γ２＜輝度比γ３≦閾値の関係が成立していれば（肯定）、ステップＳ３３０にて粘土鉱物をイライトと特定すればよい。
【符号の説明】
【００６７】
Ｇ…地山，１…トンネル，２…切羽，３…支保工，４…覆工コンクリート，１０…検出装置，２０…照射部，３０…撮像部，３１…フィルタ部，３２…第１フィルタ，３３…第２フィルタ，３４…第３フィルタ，３５…第４フィルタ，４０…赤外線カメラ，５０…データ処理部，５１…記憶部，５２…輝度画像生成部，５３…粘土鉱物検出部，６０…入力部，７０…表示部
【図１】
2019191004.tif 000003
【図２】
2019191004.tif 000004
【図３】
2019191004.tif 000005
【図４】
2019191004.tif 000006
【図５】
2019191004.tif 000007
【図６】
2019191004.tif 000008
【図７】
2019191004.tif 000009